(57)【要約】【課題】加熱調理器の表示部に使用されているカラー液晶を冷却すること。【解決手段】表示部３は表示ケース８に収納されており、表示ケース８は外装ベース７を介して機械室１の外に配置されている。よって、表示ケース８と外装ベース７の間に空気層９を設けることにより、加熱室１２から漏れる熱気と輻射熱と熱伝導を軽減することができる。  また、外装ベース７の凹部は自然対流がスムーズに起こりやすいように丸みを持たせたＲ形状とすることにより外部の冷たい外気が表示ケース８と外装ベース７の間を絶えずスムーズに通ることになり、さらに表示ケース８内の表示部３の雰囲気温度を下げることができる。【選択図】  図１
2004190909.tif 000002
【特許請求の範囲】
【請求項１】
食品を収納する加熱室と、加熱源と、前記加熱室に隣接して形成された機械室と、外装ベースと、調理情報を表示する表示部と、前記表示部を収納するための表示ケースを備え、前記表示ケースは、前記外装ベースの凹部に取り付けられ、前記表示ケースと前記外装ベースの間に空気層を設けたことを特徴とする加熱調理器。
【請求項２】
外装ベース凹部は、丸みを持たせた形状であることを特徴とする請求項１に記載の加熱調理器。
【請求項３】
表示ケース内の表示部と機械室内の制御基板はクッションゴムで覆われた接続線で接続される構成であることを特徴とする請求項１に記載の加熱調理器。
【発明の詳細な説明】
【０００１】
【発明の属する技術分野】
本発明は、電気オーブンなどの加熱調理器の表示部として使われるカラー液晶の冷却構成に関するものである。
【０００２】
【従来の技術】
従来、この種の加熱調理器の表示部に使用されている液晶は、自己発熱が少なく、小型で、時間を表す数字や簡単な漢字などの文字情報がモノクロで表示されていた。図４は従来のモノクロ液晶の冷却構成を示すものである。加熱室の温度は３００℃近くまで上昇しており、加熱室からの輻射熱や熱伝導、また加熱室から漏れてくる熱気により、機械室１の上部の温度はかなり高くなっている。そこで、機械室１の底壁に形成された複数の吸気口２から外の冷たい空気を吸気し、機械室１内の表示部３である液晶の雰囲気温度を下げた後、本体キャビネット４上に形成された複数の排気口５から排気されていくようになっていた。このような自然対流による冷却構成で、かろうじで液晶の温度規格（６０〜７０℃）を満足していた（例えば、特許文献１参照。）。また、低温条件における表示管のくもりの問題に関しても樹脂ガイドを装着することによりかろうじて防止していた。
【０００３】
ところが、最近、加熱調理器の表示部に使用されるカラー液晶は、自己発熱が少なく、大画面で、カラーの調理物の画像が表示されるようになり、情報量が飛躍的に増大する一方、温度規格は従来のモノクロ液晶より低くなっており（５０℃）、カラー液晶専用の冷却手段を必要としていた。図５は従来のカラー液晶の冷却構成を示すものである。加熱室の温度は３００℃近くまで上昇しており、加熱室からの輻射熱や熱伝導、また加熱室から漏れてくる熱気により、機械室１の上部の温度はかなり高くなっている。そこで機械室１の底部に配置された送風機６は、機械室１の底壁に形成された複数の吸気口２から外の冷たい空気を吸気し、機械室１内に冷たい空気を送り出し、表示部３である液晶の雰囲気温度を下げた後、本体キャビネット４上に形成された複数の排気口５から排気されていくようになっていた。このような送風機６を用いた冷却構成により液晶の温度規格（５０℃）を満足していた。また、低温条件における表示管のくもりの問題に関しても送風機６からの冷たい空気により防止されていた。
【０００４】
【特許文献１】
特開平１１−０２１０９９号公報
【０００５】
【発明が解決しようとする課題】
しかしながら、前記従来のカラー液晶の冷却構成では、カラー液晶専用の送風機が必要となり、騒音やコスト面での問題だけではなく、オーブン調理において加熱室の温度を上昇させる際に、外から機械室に冷たい空気が入ってくることは加熱時間が長く必要となり、省エネに逆行するという課題を有していた。
【０００６】
本発明は、前記従来の課題を解決するもので、カラー液晶専用の送風機が必要なく、騒音やコスト的にも有利でかつ省エネの加熱調理器を提供することを目的とする。
【０００７】
【課題を解決するための手段】
前記従来の課題を解決するために、本発明の加熱調理器は、表示部であるカラー液晶を収納するための表示ケースを備え、前記表示ケースは、外装ベースの凹部に取り付けられ、前記表示ケースと前記外装ベースの間に空気層を設けたことを特徴としたものである。また、前記外装ベースはスムーズに自然対流が起こるように丸みを持たせた形状であることを特徴とし、前記表示ケース内の表示部と機械室内の制御基板はクッションゴムで覆われた接続線で接続される構成であることを特徴としたものである。
【０００８】
これによって、表示部であるカラー液晶は機械室内ではなく、前記表示ケース内に位置し、加熱室からの輻射熱や熱伝導を大幅に軽減でき、加熱室から漏れてくる熱気の影響を受けなくても済む。また、前記表示ケースと前記外装ベースの間に空気層を設けることにより、絶えず外の冷たい空気に冷やされて、カラー液晶専用の送風機がなくても温度規格を満足することができる。また、上記発明によれば前記機械室内の制御基板はクッションゴムで覆われた接続線で接続される構成であるから、前記機械室から熱気が漏れてくることもないので、低温条件における表示管のくもりの問題に関しても防止することができる。
【０００９】
【発明の実施の形態】
請求項１に記載の発明は、食品を収納する加熱室と、加熱源と、前記加熱室に隣接して形成された機械室と、外装ベースと、調理情報を表示する表示部と、前記表示部を収納するための表示ケースを備え、前記表示ケースは、前記外装ベースの凹部に取り付けられ、前記表示ケースと前記外装ベースの間に空気層を設けたことを特徴とする加熱調理器で、前記表示ケースと前記外装ベースの間に前記空気層を設けることにより、前記加熱室からの輻射熱や熱伝導を大幅に軽減することにより前記表示ケース内の前記表示部の雰囲気温度を下げることができる。
【００１０】
請求項２に記載の発明は、外装ベース凹部は、スムーズに自然対流が起こるように丸みを持たせた形状であることを特徴とする請求項１に記載の加熱調理器で、外の冷たい外気が表示ケースと前記外装ベースの間を絶えずスムーズに通ることにより、さらに表示ケース内の表示部の雰囲気温度を下げることができる。
【００１１】
請求項３に記載の発明は、表示ケース内の表示部と機械室内の制御基板はクッションゴムで覆われた接続線で接続される構成であることを特徴とする請求項１に記載の加熱調理器で、クッションゴムで覆われていることにより、機械室からの熱気の漏れを防ぎ表示ケース内の表示部の雰囲気温度を下げることができる。
【００１２】
また、前記クッションゴムは水周り商品である加熱調理器の外部からの水の浸入を防ぎ、低温条件における機械室からの熱気の漏れによる表示管のくもりの問題に関しても防止することができる。
【００１３】
【実施例】
以下本発明の実施例について、図面を参照しながら説明する。
【００１４】
（実施例１）
図３は、本発明の第１の実施例におけるオーブンレンジの外観斜視図であり、４は本体キャビネット、７は外装ベース、１２は加熱室、３は表示部である。
【００１５】
図１は、本発明の第１の実施例における要部断面図を示すものであり、図２は本発明の第１の実施例における表示部３を正面からみた図である。
【００１６】
図１において、７は外装ベースであり、３はカラー液晶の表示部、８は表示部３を収納し表示面８ａは透明のアクリルからなる表示ケースである。表示ケース８は外装ベース７の凹部にはめこんで取り付けられるような構造になっている。
【００１７】
また、１は機械室であり、１０は機械室１内の制御基板で表示部３とクッションゴム１３で覆われた接続線１１で表示部３と接続されている。
【００１８】
以上のように構成された加熱調理器について、以下にその動作、作用を説明する。
【００１９】
機械室１は加熱室の温度が３００℃近くに達しているので、加熱室からの輻射熱や熱伝導、また加熱室から漏れてくる熱気により、機械室１内の上部にある接続線１１の雰囲気温度は約８０℃に達している。８０℃という雰囲気温度は、制御基板１１上にある電気部品の温度規格をかろうじで満たしているが、表示部３のカラー液晶の温度規格は約５０℃であるので、このままでは表示部３を機械室１内に配置することはできず、配置するためには別途表示部３用の冷却ファンが必要となり、冷却ファンで外気を導入して、表示部３を冷やす必要がある。
【００２０】
そこでまず、表示部３は表示ケース８に収納されており、表示ケース８は外装ベース７を介して機械室１の外側に配置されている。これによって、表示部３であるカラー液晶は機械室１内ではなく、表示ケース８内に位置し、加熱室からの輻射熱や熱伝導を大幅に軽減できる。また、接続線１１はクッションゴム１３で覆われているので加熱室から漏れてくる熱気の影響を全く受けなくても済むようになっている。さらに、表示ケース８と外装ベース７の間に空気層９を設けることにより、空気層９は断熱の効果を果たし、絶えず外の冷たい空気に表示部３は冷やされている。
【００２１】
また、外装ベース７の凹部は自然対流がスムーズに起こりやすいように７ａ部のように丸みを持たせたＲ形状とすることにより、表示ケース８の下面から導かれた外気が表示部８の上面からぬけるような構成とすることによって、表示ケース８と外装ベース７の間に絶えず冷たい外気がスムーズに通るようになっている。
【００２２】
このような構成にすることによって空気層９の雰囲気温度は外気とほとんど等しい温度となり、表示ケース８内の表示部３の雰囲気温度は約４０℃となり、温度規格５０℃を十分に満足することができる。
【００２３】
また、表示ケース８内の表示部３と機械室１内の制御基板１０を接続している接続線１１は、クッションゴム１３で覆われていることにより、機械室１からの熱気の漏れを防ぎ、低温条件において機械室１からの熱気の漏れが表示部３の周辺に充満して表示部３が外気に冷やされて、表示部３がくもってしまうという問題に関しても防止することができる。
【００２４】
そして、水周り商品である加熱調理器の外部から機械室１内に水が浸入をするのを防ぐこともできる。
【００２５】
なお、図１において、表示ケース８は外装ベース７の凹部と表示ケース８の上面と下面で、はめこみ式で取り付けられているが、表示ケース８の右側面と左側面で外装ベース７の凹部とはめこみ式で取り付けてもよいのは言うまでもない。
【００２６】
【発明の効果】
以上のように、請求項１〜３に記載の発明によれば、表示部は表示ケースに収納されており、表示ケースは外装ベースを介して機械室の外側に配置されている。よって、表示部であるカラー液晶は機械室内ではなく、表示ケース内に位置し、加熱室からの輻射熱や熱伝導を大幅に軽減でき、加熱室から漏れてくる熱気の影響を受けなくても済む。また、表示ケースと外装ベースの間に空気層を設けることにより、絶えず外の冷たい空気に冷やされて、カラー液晶専用の送風機がなくても温度規格を満足することができる。
【００２７】
また、外装ベースの凹部は自然対流がスムーズに起こりやすいように丸みを持たせたＲ形状とすることにより外部の冷たい外気が絶えず表示ケースと外装ベースの間をスムーズに通ることになり、さらに表示ケース内の表示部の雰囲気温度を下げることができる。
【００２８】
そして、表示ケース内の表示部と機械室内の制御基板を接続している接続線は、クッションゴムで覆われていることにより、機械室からの熱気の漏れを防ぎ、表示ケース内の表示部の雰囲気温度を上げることを防止し、水周り商品である加熱調理器の外部からの水の浸入を防ぐことができる。低温条件における表示管のくもりの問題に関しても防止することができる。
【図面の簡単な説明】
【図１】本発明の実施例１における加熱調理器の外装ベースと表示部の要部断面図
【図２】本発明の実施例１における加熱調理器の外装ベースと表示部の正面図
【図３】本発明の実施例１における加熱調理器の外観斜視図
【図４】従来のモノクロ液晶を使用した加熱調理器の機械室の要部断面図
【図５】従来のカラー液晶を使用した加熱調理器の機械室の要部断面図
【符号の説明】
１    機械室
２  吸気口
３  表示部
４  本体キャビネット
５  排気口
６  送風機
７  外装ベース
８  表示ケース
９  空気層
１０  制御基板
１１  接続線
１２加熱室
１３  クッションゴム
【図１】
2004190909.tif 000003
【図２】
2004190909.tif 000004
【図３】
2004190909.tif 000005
【図４】
2004190909.tif 000006
【図５】
2004190909.tif 000007